(57)【特許請求の範囲】
【請求項１】
食材に関する情報が掲載されるチラシの画像データに基づいて、前記チラシに掲載された特定食材に関する食材情報を抽出する食材抽出部と、
前記食材抽出部によって抽出された前記食材情報に基づいて、前記特定食材を用いた特定料理のレシピに関するレシピ情報を取得するレシピ取得部と、
前記レシピ取得部によって取得された前記レシピ情報を出力する出力処理部と、
前記チラシの画像データに基づいて、前記チラシを発行した特定店舗の位置情報を抽出する位置情報抽出部と、
ユーザーの疲労状態に関する疲労情報を取得する疲労情報取得部と、
前記疲労情報取得部によって取得された前記疲労情報に基づいて、前記ユーザーが疲労しているか否かを判定する判定処理部と、
を備え、
前記レシピ取得部は、前記判定処理部によって前記ユーザーが疲労していると判定された場合には、複数の前記チラシ各々の画像データのうち前記特定店舗までの距離が最も近い前記チラシの画像データから抽出される前記食材情報に基づいて、前記レシピ情報を取得可能である画像処理装置。
【請求項２】
ユーザー操作に応じて前記特定食材を絞り込む第１絞込条件を設定する第１設定処理部を更に備え、
前記レシピ取得部は、前記第１絞込条件を充足する前記特定食材に関する前記食材情報に基づいて、前記レシピ情報を取得する請求項１に記載の画像処理装置。
【請求項３】
ユーザー操作に応じて前記特定料理のレシピを絞り込む第２絞込条件を設定する第２設定処理部を更に備え、
前記出力処理部は、前記第２絞込条件を充足する前記特定料理のレシピに関する前記レシピ情報を出力する請求項１又は２に記載の画像処理装置。
【請求項４】
前記出力処理部は、前記判定処理部によって前記ユーザーが疲労していると判定された場合には、予め設定された第３絞込条件を充足する前記レシピ情報を出力する請求項１〜３のいずれかに記載の画像処理装置。
【請求項５】
画像データに基づいて画像を形成可能な画像形成部を更に備え、
前記出力処理部は、前記レシピ情報を印刷して出力可能である請求項１〜４のいずれかに記載の画像処理装置。
【請求項６】
画像処理装置に搭載されるプロセッサーにより実行される画像処理方法であって、
食材に関する情報が掲載されるチラシの画像データに基づいて、前記チラシに掲載された特定食材に関する食材情報を抽出する第１ステップと、
前記第１ステップによって抽出された前記食材情報に基づいて、前記特定食材を用いた特定料理のレシピに関するレシピ情報を取得する第２ステップと、
前記第２ステップによって取得された前記レシピ情報を出力する第３ステップと、
前記チラシの画像データに基づいて、前記チラシを発行した特定店舗の位置情報を抽出する第４ステップと、
ユーザーの疲労状態に関する疲労情報を取得する第５ステップと、
前記第５ステップによって取得された前記疲労情報に基づいて、前記ユーザーが疲労しているか否かを判定する第６ステップと、
を含み、
前記第２ステップでは、前記第６ステップによって前記ユーザーが疲労していると判定された場合には、複数の前記チラシ各々の画像データのうち前記特定店舗までの距離が最も近い前記チラシの画像データから抽出される前記食材情報に基づいて、前記レシピ情報が取得可能である画像処理方法。
【発明の詳細な説明】
【技術分野】
【０００１】
本発明は、画像処理装置、及び画像処理装置で実行される画像処理方法に関する。
【背景技術】
【０００２】
コピー機のような画像処理装置では、原稿から読み取られた画像データに基づいて前記原稿の画像が印刷される。例えば、原稿の画像データに基づく印刷物に広告画像を付加することが可能な画像処理装置が知られている（例えば、特許文献１参照）。
【先行技術文献】
【特許文献】
【０００３】
【特許文献１】特開２００１−１３８１７号公報
【発明の概要】
【発明が解決しようとする課題】
【０００４】
ところで、画像処理装置のユーザーは、食費を抑えるために、スーパーのような食料品販売店のチラシに掲載された食材を用いて調理を行うことがある。この場合、ユーザーにおいて、チラシに掲載された食材を用いた料理のレシピを探す手間が生じる。
【０００５】
本発明の目的は、料理のレシピを探すユーザーの手間を軽減可能な画像処理装置、及び画像処理方法を提供することにある。
【課題を解決するための手段】
【０００６】
本発明の一の局面に係る画像処理装置は、食材抽出部と、レシピ取得部と、出力処理部とを備える。前記食材抽出部は、食材に関する情報が掲載されるチラシの画像データに基づいて、前記チラシに掲載された特定食材に関する食材情報を抽出する。前記レシピ取得部は、前記食材抽出部によって抽出された前記食材情報に基づいて、前記特定食材を用いた特定料理のレシピに関するレシピ情報を取得する。前記出力処理部は、前記レシピ取得部によって取得された前記レシピ情報を出力する。
【０００７】
本発明の他の局面に係る画像処理方法は、第１ステップと、第２ステップと、第３ステップとを含む。前記第１ステップでは、食材に関する情報が掲載されるチラシの画像データに基づいて、前記チラシに掲載された特定食材に関する食材情報が抽出される。前記第２ステップでは、前記第１ステップによって抽出された前記食材情報に基づいて、前記特定食材を用いた特定料理のレシピに関するレシピ情報が取得される。前記第３ステップでは、前記第２ステップによって取得された前記レシピ情報が出力される。
【発明の効果】
【０００８】
本発明によれば、料理のレシピを探すユーザーの手間を軽減可能な画像処理装置、及び画像処理方法が実現される。
【図面の簡単な説明】
【０００９】
【図１】図１は、本発明の実施形態に係る画像処理システムの構成を示すブロック図である。
【図２】図２は、本発明の実施形態に係る画像処理システムに含まれる画像処理装置の構成を示す図である。
【図３】図３は、本発明の実施形態に係る画像処理システムで実行されるレシピ出力処理の一例を示すフローチャートである。
【図４】図４は、本発明の実施形態に係る画像処理システムの記憶部に記憶されるテーブルデータの一例を示す図である。
【図５】図５は、本発明の実施形態に係る画像処理システムの操作表示部に表示される設定操作画面の一例を示す図である。
【図６】図６は、本発明の実施形態に係る画像処理システムの操作表示部に表示される選択操作画面の一例を示す図である。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定する性格のものではない。
【００１１】
［画像処理システム１００］
本発明の実施形態に係る画像処理システム１００は、図１に示されるように、携帯端末１０と、画像処理装置２０とを備える。画像処理システム１００では、携帯端末１０及び画像処理装置２０の間で無線によるデータ通信が実行される。
【００１２】
［携帯端末１０］
携帯端末１０は、画像処理装置２０のユーザーなどによって持ち運ばれるスマートフォン又はウェアラブル端末などの移動通信端末である。具体的に、携帯端末１０は、図１に示されるように、制御部１１、操作表示部１２、通信部１３、及び記憶部１４を備える。なお、携帯端末１０は、携帯電話、タブレット端末、ノートパソコン、又はＰＤＡなどであってもよい。
【００１３】
操作表示部１２は、制御部１１からの制御指示に応じて各種の情報を表示する液晶ディスプレーなどの表示部、及びユーザーの操作に応じて制御部１１に各種の情報を入力するタッチパネルなどの操作部を有する。
【００１４】
通信部１３は、画像処理装置２０などの外部の通信機器との間で、無線によるデータ通信を実行可能な通信インターフェイスである。例えば、通信部１３は、前記通信機器との間でＢｌｕｅｔｏｏｔｈ（登録商標）によって規定された所定の通信プロトコルに従って無線によるデータ通信を実行する。例えば、通信部１３は、クラス２と称される電波強度（２．５ｍＷ）で、携帯端末１０から約１０ｍの範囲に存在する前記通信機器との間でＢｌｕｅｔｏｏｔｈによる無線通信を実行可能である。なお、通信部１３は、前記通信機器との間で無線ＬＡＮの通信規格に従った無線通信を実行してもよい。
【００１５】
ここで、携帯端末１０では、予め画像処理装置２０との間で、Ｂｌｕｅｔｏｏｔｈ通信における通信相手の認証手続であるペアリングが実行されている。前記ペアリングでは、Ｂｌｕｅｔｏｏｔｈ通信を行う機器相互間で、通信相手の認証のために必要となるペアリングＩＤが交換される。そして、前記ペアリングにより携帯端末１０が取得した画像処理装置２０の前記ペアリングＩＤが、記憶部１４に記憶されている。これにより、その後、携帯端末１０と画像処理装置２０との間でＢｌｕｅｔｏｏｔｈによる無線通信が可能である。
【００１６】
記憶部１４は、フラッシュメモリー等の不揮発性の記憶部であり、制御部１１によるデータの読み書きが可能である。なお、記憶部１４には、画像処理装置２０の前記ペアリングＩＤが記憶されている。
【００１７】
また、記憶部１４には、ユーザーの日々のスケジュールに関するスケジュール情報が記憶されている。例えば、前記スケジュール情報は、操作表示部１２におけるユーザーの操作に応じて作成又は編集されて、記憶部１４に記憶される。また、前記スケジュール情報は、操作表示部１２におけるユーザーの操作に応じて、記憶部１４から読み出されて操作表示部１２に表示される。
【００１８】
制御部１１は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部１１では、前記ＣＰＵにより前記ＲＯＭに予め記憶された各種の制御プログラムが実行される。これにより、携帯端末１０が制御部１１により統括的に制御される。なお、制御部１１は、集積回路（ＡＳＩＣ）などの電子回路で構成されたものであってもよく、携帯端末１０を統括的に制御するメイン制御部とは別に設けられた制御部であってもよい。
【００１９】
また、制御部１１は、図１に示されるように、取得処理部１１１を含む。具体的に、制御部１１は、前記ＣＰＵを用いて前記ＲＯＭに記憶されている制御プログラムを実行する。これにより、制御部１１は、取得処理部１１１として機能する。なお、制御部１１は、前記ＣＰＵを用いて記憶部１４にインストールされるアプリケーションプログラムを実行することで、取得処理部１１１として機能してもよい。
【００２０】
取得処理部１１１は、ユーザーの健康状態に関する健康情報を取得する。例えば、前記健康情報には、ユーザーの歩数、脈拍、睡眠情報、及び視線移動量が含まれる。例えば、前記睡眠情報には、ユーザーの就寝時刻及び起床時刻が含まれる。
【００２１】
例えば、取得処理部１１１は、携帯端末１０に搭載される加速度センサー及び光センサーなどの不図示のセンサーを用いて、ユーザーの歩数、及び脈拍を検出し、検出された前記健康情報を記憶部１４に記憶させる。例えば、取得処理部１１１は、前記センサーで検出されるユーザーの１日当たりの歩数をカウントして、カウントされたユーザーの歩数を記憶部１４に記憶させる。また、取得処理部１１１は、予め定められたタイミング毎にユーザーの脈拍を検出して、検出されたユーザーの脈拍を記憶部１４に記憶させる。
【００２２】
また、取得処理部１１１は、ユーザー操作に応じてユーザーの就寝時刻及び起床時刻（前記睡眠情報）を取得し、取得された前記睡眠情報を記憶部１４に記憶させる。なお、取得処理部１１１は、前記センサーで検出されるユーザーの就寝中の活動量等からユーザーの睡眠状態（レム睡眠であるか、ノンレム睡眠であるか等）を判定して、判定結果を前記睡眠情報として記憶部１４に記憶させてもよい。
【００２３】
また、取得処理部１１１は、視線移動を検出可能な外部の眼鏡型端末と無線によるデータ通信を実行して、前記眼鏡型端末で検出されるユーザーの視線移動量を取得し、取得されたユーザーの視線移動量を記憶部１４に記憶させる。なお、取得処理部１１１は、外部の検出装置と無線によるデータ通信を実行して、前記検出装置で検出されるユーザーの歩数、脈拍、及び前記睡眠情報を取得してもよい。
【００２４】
［画像処理装置２０］
画像処理装置２０は、画像データに基づいて画像を形成するプリント機能と共に、スキャン機能、ファクシミリ機能、及びコピー機能などの複数の機能を有する複合機である。具体的に、画像処理装置２０は、図１及び図２に示されるように、ＡＤＦ２１、画像読取部２２、画像形成部２３、給紙部２４、制御部２５、操作表示部２６、通信部２７、及び記憶部２８を備える。なお、画像処理装置２０は、スキャナー、プリンター装置、ファクシミリ装置、コピー機、パーソナルコンピューター、スマートフォン、タブレット端末などであってもよい。
【００２５】
ＡＤＦ２１は、原稿セット部、複数の搬送ローラー、原稿押さえ、及び排紙部を備え、画像読取部２２によって読み取られる原稿を搬送する自動原稿搬送装置である。画像読取部２２は、原稿台、光源、複数のミラー、光学レンズ、及びＣＣＤ（Charge Coupled Device）を備え、原稿から画像データを読み取る。
【００２６】
画像形成部２３は、画像読取部２２で読み取られた画像データ又は外部のパーソナルコンピューター等の情報処理装置から入力された画像データに基づいて、電子写真方式でカラー又はモノクロの画像を形成する画像形成処理（印刷処理）を実行することが可能である。具体的に、画像形成部２３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。そして、画像形成部２３では、給紙部２４から供給されるシートにカラー又はモノクロの画像が形成されて、画像形成後の前記シートが前記排紙トレイに排出される。
【００２７】
制御部２５は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部２５では、前記ＣＰＵにより前記ＲＯＭに予め記憶された各種の制御プログラムが実行される。これにより、画像処理装置２０が制御部２５により統括的に制御される。なお、制御部２５は、集積回路（ＡＳＩＣ）などの電子回路で構成されたものであってもよく、画像処理装置２０を統括的に制御するメイン制御部とは別に設けられた制御部であってもよい。
【００２８】
また、制御部２５は、図１に示されるように、認証処理部２５０を含む。具体的に、制御部２５は、前記ＣＰＵを用いて前記ＲＯＭに記憶されている制御プログラムを実行する。これにより、制御部２５は、認証処理部２５０として機能する。
【００２９】
認証処理部２５０は、予め設定された認証操作に応じてユーザーを認証するログイン処理を実行する。例えば、認証処理部２５０は、操作表示部２６に前記認証操作を行うことが可能な認証画面を必要に応じて表示させる。そして、認証処理部２５０は、前記認証画面においてユーザーによる操作表示部２６に対するログイン情報の入力操作を受け付ける。前記ログイン情報は、ユーザー名及びパスワードである。即ち、前記認証画面における前記ログイン情報の入力操作が、前記認証操作の一例である。
【００３０】
その後、認証処理部２５０は、操作表示部２６から入力された前記ログイン情報が記憶部２８に記憶されている認証情報に含まれている場合に認証完了と判断し、ユーザーを画像処理装置２０にログインさせる。なお、認証処理部２５０は、操作表示部２６に対するログアウト操作が行われた場合、予め設定された時間が経過した場合、又は他のユーザーをログインさせる場合に、現在ログイン中のユーザーをログアウトさせるログアウト処理を実行する。
【００３１】
操作表示部２６は、制御部２５からの制御指示に応じて各種の情報を表示する液晶ディスプレーなどの表示部、及びユーザーの操作に応じて制御部２５に各種の情報を入力するタッチパネルなどの操作部を有する。
【００３２】
通信部２７は、携帯端末１０などの外部の通信機器との間で、有線又は無線によるデータ通信を実行可能な通信インターフェイスである。例えば、通信部２７は、前記通信機器との間でＢｌｕｅｔｏｏｔｈによって規定された所定の通信プロトコルに従って無線によるデータ通信を実行する。例えば、通信部２７は、携帯端末１０と同様にクラス２の電波強度で、画像処理装置２０から約１０ｍの範囲に存在する前記通信機器との間でＢｌｕｅｔｏｏｔｈによる無線通信を実行可能である。ここで、画像処理装置２０では、予め携帯端末１０との間で前記ペアリングが実行されており、携帯端末１０の前記ペアリングＩＤが記憶部２８に記憶されている。なお、通信部２７は、前記通信機器との間でインターネット又はＬＡＮ等の通信ネットワークを介して有線又は無線によるデータ通信を実行してもよい。
【００３３】
記憶部２８は、ソリッドステートドライブ（ＳＳＤ）又はハードディスクドライブ（ＨＤＤ）などの記憶部である。記憶部２８には、ユーザーの前記認証情報が記憶されている。また、記憶部２８には、携帯端末１０の前記ペアリングＩＤが記憶されている。また、記憶部２８には、画像処理装置２０の位置情報が記憶されている。
【００３４】
ここで、画像処理システム１００では、ユーザーの前記認証情報が、予めそのユーザーの所持する携帯端末１０の前記ペアリングＩＤに対応付けられて登録されている。具体的に、画像処理装置２０の記憶部２８では、前記認証情報と前記ペアリングＩＤとが対応付けられて記憶されている。なお、前記ペアリングＩＤに替えて、携帯端末１０のＩＰアドレス又はＭＡＣアドレスが、前記認証情報と対応付けられて記憶部２８に記憶されていてもよい。
【００３５】
ところで、画像処理装置２０のユーザーは、食費を抑えるために、スーパーのような食料品販売店のチラシに掲載された食材を用いて調理を行うことがある。この場合、ユーザーにおいて、チラシに掲載された食材を用いた料理のレシピを探す手間が生じる。これに対し、本発明の実施形態に係る画像処理システム１００では、料理のレシピを探すユーザーの手間を軽減することが可能である。
【００３６】
具体的に、記憶部２８には、制御部２５の前記ＣＰＵに後述のレシピ出力処理（図３のフローチャート参照）を実行させるためのレシピ出力プログラムが予め記憶されている。なお、前記レシピ出力プログラムは、ＣＤ、ＤＶＤ、フラッシュメモリーなどのコンピューター読み取り可能な記録媒体に記録されており、前記記録媒体から読み取られて記憶部２８等にインストールされてもよい。
【００３７】
そして、制御部２５は、図１に示されるように、画像取得部２５１、店舗抽出部２５２、食材抽出部２５３、第１設定処理部２５４、疲労情報取得部２５５、判定処理部２５６、レシピ取得部２５７、第２設定処理部２５８、及び出力処理部２５９を更に含む。具体的に、制御部２５は、前記ＣＰＵを用いて記憶部２８に記憶されている前記レシピ出力プログラムを実行する。これにより、制御部２５は、画像取得部２５１、店舗抽出部２５２、食材抽出部２５３、第１設定処理部２５４、疲労情報取得部２５５、判定処理部２５６、レシピ取得部２５７、第２設定処理部２５８、及び出力処理部２５９として機能する。
【００３８】
画像取得部２５１は、食材に関する情報が掲載されるチラシの画像データを取得する。ここで、前記チラシは、スーパーマーケットなどの食料品販売店が発行する広告物である。前記チラシには、掲載される商品の一部又は全部である食材に関する情報が含まれる。例えば、前記チラシには、食材の名称、食材の販売価格、食材の産地、食材の画像、前記チラシを発行した店舗の名称、及び店舗の位置などの情報が含まれる。なお、前記チラシは、前記チラシに掲載される情報が電子化された電子チラシであってもよい。
【００３９】
例えば、画像取得部２５１は、画像読取部２２を用いて前記チラシの原稿から前記チラシの画像データを取得する。具体的に、画像取得部２５１は、ＡＤＦ２１の前記原稿セット部に前記チラシの原稿が載置されている場合には、ＡＤＦ２１及び画像読取部２２を用いて、前記原稿セット部に載置された前記チラシの原稿から前記チラシの画像データを読み取る。また、画像取得部２５１は、画像読取部２２の前記原稿台に前記チラシの原稿が載置されている場合には、画像読取部２２を用いて、前記原稿台に載置された前記チラシの原稿から前記チラシの画像データを読み取る。
【００４０】
また、画像取得部２５１は、携帯端末１０などの外部の情報処理装置から送信される前記チラシの画像データを受信することで、前記チラシの画像データを取得してもよい。また、画像取得部２５１は、画像読取部２２によって読み取られて、又は外部の情報処理装置から送信されて記憶部２８に格納された前記チラシの画像データを読み出すことで、前記チラシの画像データを取得してもよい。
【００４１】
店舗抽出部２５２は、画像取得部２５１によって取得された前記チラシの画像データに基づいて、前記チラシを発行した特定店舗に関する店舗情報を抽出する。ここで、前記店舗情報には、前記特定店舗の名称、及び位置情報などの情報が含まれる。ここに、店舗抽出部２５２が、本発明における位置情報抽出部の一例である。
【００４２】
例えば、店舗抽出部２５２は、画像取得部２５１によって取得された前記チラシの画像データに基づいて、前記チラシの画像データに含まれる文字を認識するＯＣＲ（光学文字認識）処理を実行する。そして、店舗抽出部２５２は、前記ＯＣＲ処理の実行結果に基づいて、前記店舗情報を抽出する。また、店舗抽出部２５２は、画像取得部２５１によって複数枚の前記チラシ各々の画像データが取得された場合は、前記チラシ各々の前記店舗情報を抽出する。
【００４３】
食材抽出部２５３は、画像取得部２５１によって取得された前記チラシの画像データに基づいて、前記チラシに掲載された特定食材に関する食材情報を抽出する。例えば、前記食材情報には、前記特定食材の名称、販売価格、及び産地などの情報が含まれる。
【００４４】
例えば、食材抽出部２５３は、店舗抽出部２５２によって実行された前記ＯＣＲ処理の実行結果に基づいて、前記チラシに掲載された複数の前記特定食材各々に関する前記食材情報を抽出する。また、食材抽出部２５３は、画像取得部２５１によって複数枚の前記チラシ各々の画像データが取得された場合は、同一の前記チラシから抽出される前記店舗情報及び前記食材情報を互いに関連付ける。
【００４５】
第１設定処理部２５４は、ユーザー操作に応じて前記特定食材を絞り込む第１絞込条件を設定する。例えば、前記第１絞込条件には、前記特定食材の産地が予め指定された地域に含まれること、前記特定食材が予め指定された食材に該当しないこと、及び前記特定食材を掲載する前記チラシが予め指定された距離の範囲内の前記特定店舗で発行されたこと、などが含まれる。
【００４６】
例えば、第１設定処理部２５４は、画像取得部２５１によって前記チラシの画像データが取得された場合に、前記第１絞込条件、及び後述する第２絞込条件の設定に用いられる設定操作画面を操作表示部２６に表示させる。そして、第１設定処理部２５４は、前記設定操作画面におけるユーザー操作に応じて、前記第１絞込条件を設定する。
【００４７】
なお、前記第１絞込条件は、画像処理装置２０にログイン可能なユーザーごとに予め画像処理装置２０に登録されていてもよい。例えば、ユーザーによって設定された前記第１絞込条件が、記憶部２８における前記ユーザーに割り当てられた記憶領域に予め記憶されていてもよい。
【００４８】
疲労情報取得部２５５は、ユーザーの疲労状態に関する疲労情報を取得する。ここで、前記疲労情報には、前記健康情報及び前記スケジュール情報が含まれる。即ち、前記健康情報及び前記スケジュール情報が、本発明における疲労情報の一例である。
【００４９】
例えば、疲労情報取得部２５５は、ユーザーが画像処理装置２０にログインしている場合には、ログイン中のユーザーに対応する携帯端末１０から、前記健康情報及び前記スケジュール情報を取得する。具体的に、疲労情報取得部２５５は、ログイン中のユーザーの前記認証情報に対応付けられた前記ペアリングＩＤによって識別される携帯端末１０から前記健康情報及び前記スケジュール情報を取得する。
【００５０】
また、疲労情報取得部２５５は、ユーザーが画像処理装置２０にログインしていない場合には、操作表示部２６に前記認証画面を表示させる。そして、疲労情報取得部２５５は、前記認証画面における前記認証操作によりユーザーが画像処理装置２０にログインした場合に、ログインしたユーザーに対応する携帯端末１０から前記健康情報及び前記スケジュール情報を取得する。
【００５１】
判定処理部２５６は、疲労情報取得部２５５によって取得された前記疲労情報に基づいて、ユーザーが疲労しているか否かを判定する。
【００５２】
例えば、判定処理部２５６は、前記疲労情報に含まれる歩数が予め設定された基準歩数を超える場合に、ユーザーが疲労していると判定する。また、判定処理部２５６は、前記疲労情報に含まれる予め定められた起床時刻に検出された脈拍が予め設定された基準脈拍数以上である場合に、ユーザーが疲労していると判定する。また、判定処理部２５６は、前記疲労情報に含まれる前記睡眠情報によって算出される睡眠時間が予め定められた第１基準時間未満である場合に、ユーザーが疲労していると判定する。また、判定処理部２５６は、前記疲労情報に含まれる視線移動量が予め定められた基準移動量を超える場合に、ユーザーが疲労していると判定する。また、判定処理部２５６は、前記疲労情報に含まれる前記スケジュール情報によって示されるユーザーの自由時間が予め設定された第２基準時間未満である場合に、ユーザーが疲労していると判定する。なお、判定処理部２５６は、前記疲労情報に含まれる歩数、脈拍、前記睡眠情報、視線移動量、及び前記スケジュール情報のいずれか一つ又は複数に基づいてユーザーが疲労していると判定してもよい。また、判定処理部２５６による判定方法は、以上と異なるものであってもよい。
【００５３】
レシピ取得部２５７は、食材抽出部２５３によって抽出された前記食材情報に基づいて、前記特定食材を用いた特定料理のレシピに関するレシピ情報を取得する。例えば、前記レシピ情報には、前記特定料理のレシピと共に、前記特定料理のレシピに含まれる前記特定食材の前記食材情報、前記特定食材を販売する前記特定店舗の前記店舗情報、前記特定料理のコスト、及び前記特定料理の摂取カロリーなどの情報が含まれる。また、前記レシピ情報には、前記特定料理の画像、及び前記特定食材の画像が含まれていてもよい。
【００５４】
具体的に、レシピ取得部２５７は、食材抽出部２５３によって抽出された前記食材情報のうち、第１設定処理部２５４により設定された前記第１絞込条件を充足する前記特定食材に関する前記食材情報に基づいて、前記レシピ情報を取得する。例えば、画像処理装置２０では、複数の料理のレシピを含むデータベースが予め記憶部２８に記憶されている。レシピ取得部２５７は、前記第１絞込条件を充足する前記特定食材に関する前記食材情報に基づいて、記憶部２８に記憶されている前記データベースから、前記第１絞込条件を充足する前記特定食材を用いた前記特定料理のレシピを取得する。
【００５５】
なお、前記特定食材が前記第１絞込条件を充足するか否かの判断は、食材抽出部２５３が行ってもよい。即ち、食材抽出部２５３は、前記第１絞込条件を充足する前記特定食材に関する前記食材情報のみを抽出してもよい。また、前記データベースは、予め定められた外部の情報処理装置の備える記憶部に記憶されていてもよい。この場合、レシピ取得部２５７は、前記外部の情報処理装置と通信を行うことで、前記外部の情報処理装置から前記特定食材を用いた前記特定料理のレシピを取得する。
【００５６】
例えば、レシピ取得部２５７は、取得された前記特定料理のレシピ、及び前記特定料理のレシピに含まれる前記特定食材の前記食材情報に基づいて、前記特定料理のコストを算出する。ここで、複数の前記チラシから前記食材情報が抽出される場合に、前記特定料理のレシピに含まれる一つの前記特定食材に関する前記食材情報が複数存在することがある。この場合、レシピ取得部２５７は、前記特定食材の販売価格が最も安い前記食材情報を含む前記レシピ情報を取得する。なお、レシピ取得部２５７は、前記特定店舗の位置が最も近い前記チラシから抽出された前記食材情報を含む前記レシピ情報を取得してもよい。
【００５７】
また、レシピ取得部２５７は、取得された前記特定料理のレシピに基づいて、前記特定料理の摂取カロリーを算出する。例えば、画像処理装置２０では、予め記憶部２８に食材と食材の摂取カロリーとが対応付けられたテーブルデータが記憶されている。図４に、記憶部２８に記憶されている前記テーブルデータの一例を示す。レシピ取得部２５７は、記憶部２８に記憶されている前記テーブルデータを参照して、前記特定料理のレシピに含まれる前記特定食材各々の摂取カロリーを取得して合算することで、前記特定料理の摂取カロリーを算出する。
【００５８】
なお、記憶部２８に替えて、予め定められた外部の情報処理装置の備える記憶部に、前記テーブルデータが記憶されていてもよい。この場合、レシピ取得部２５７は、前記外部の情報処理装置と通信を行うことで、前記外部の情報処理装置から前記特定料理のレシピに含まれる前記特定食材各々の摂取カロリーを取得する。
【００５９】
ここで、レシピ取得部２５７は、判定処理部２５６によってユーザーが疲労していると判定された場合には、複数の前記チラシ各々の画像データのうち、前記特定店舗までの距離が最も近い前記チラシの画像データから抽出される前記食材情報に基づいて、前記レシピ情報を取得可能である。
【００６０】
例えば、レシピ取得部２５７は、判定処理部２５６によってユーザーが疲労していると判定された場合に、前記レシピ情報の取得方法を変更するか否かの選択に用いられる選択操作画面を操作表示部２６に表示させる。そして、レシピ取得部２５７は、前記選択操作画面におけるユーザー操作に応じて、前記特定店舗までの距離が最も近い前記チラシの画像データから抽出される前記食材情報に基づいて、前記レシピ情報を取得する。
【００６１】
例えば、レシピ取得部２５７は、店舗抽出部２５２によって抽出された前記店舗情報、及び記憶部２８に記憶されている画像処理装置２０の位置情報に基づいて、前記特定店舗までの距離が最も近い前記チラシの画像データを特定する。そして、レシピ取得部２５７は、特定された前記チラシの画像データから抽出された前記食材情報に基づいて、前記特定料理のレシピ、前記特定料理のコスト、及び前記特定料理の摂取カロリーを取得する。なお、レシピ取得部２５７は、携帯端末１０から、携帯端末１０においてＧＰＳ機能により取得される位置情報を取得してもよい。
【００６２】
第２設定処理部２５８は、ユーザー操作に応じて前記特定料理のレシピを絞り込む第２絞込条件を設定する。例えば、前記第２絞込条件には、前記特定料理の種類が予め指定された種類に該当すること、前記特定料理のコストが予め指定された予算以下であること、前記特定料理の摂取カロリーが予め指定されたカロリー以下であること、前記特定料理に含まれる前記特定食材の数が予め指定された数以上であること、などが含まれる。
【００６３】
例えば、第２設定処理部２５８は、前記設定操作画面におけるユーザー操作に応じて、前記第２絞込条件を設定する。なお、前記第２絞込条件は、前記第１絞込条件と同様に、画像処理装置２０にログインするユーザーごとに予め画像処理装置２０に登録されていてもよい。
【００６４】
出力処理部２５９は、レシピ取得部２５７によって取得された前記レシピ情報を出力する。
【００６５】
具体的に、出力処理部２５９は、第２設定処理部２５８により設定された前記第２絞込条件を充足する前記特定料理のレシピに関する前記レシピ情報を出力する。例えば、出力処理部２５９は、前記第２絞込条件を充足する前記特定料理のレシピに関する複数の前記レシピ情報のうち、前記特定料理のレシピに含まれる前記特定食材の数が最も多い前記レシピ情報を出力する。なお、出力処理部２５９は、前記特定料理のコストが最も安い前記レシピ情報を出力してもよい。また、出力処理部２５９は、前記特定料理のレシピに含まれる前記特定食材の数が多い順で列挙された複数の前記レシピ情報を出力してもよい。また、出力処理部２５９は、前記特定料理のコストが安い順で列挙された複数の前記レシピ情報を出力してもよい。
【００６６】
なお、前記特定料理のレシピが前記第２絞込条件を充足するか否かの判断は、レシピ取得部２５７が行ってもよい。即ち、レシピ取得部２５７は、前記第２絞込条件を充足する前記特定料理のレシピに関する前記レシピ情報を取得してもよい。
【００６７】
例えば、出力処理部２５９は、操作表示部２６におけるユーザー操作に応じて、前記レシピ情報を印刷、又は携帯端末１０に送信して出力する。
【００６８】
［レシピ出力処理］
以下、図３を参照しつつ、画像処理装置２０において制御部２５により実行されるレシピ出力処理の手順の一例と共に、本発明の画像処理方法の手順の一例について説明する。ここで、ステップＳ１１、Ｓ１２・・・は、制御部２５により実行される処理手順（ステップ）の番号を表している。なお、制御部２５は、操作表示部２６に対して前記レシピ出力処理の実行を指示する旨のユーザー操作が行われた場合に、前記レシピ出力処理を実行する。
【００６９】
＜ステップＳ１１＞
まず、ステップＳ１１において、制御部２５は、前記チラシの画像データを取得する。ここで、ステップＳ１１の処理は、制御部２５の画像取得部２５１により実行される。
【００７０】
例えば、制御部２５は、画像読取部２２を用いて前記チラシの原稿から前記チラシの画像データを取得する。具体的に、制御部２５は、ＡＤＦ２１の前記原稿セット部に前記チラシの原稿が載置されている場合には、ＡＤＦ２１及び画像読取部２２を用いて、前記原稿セット部に載置された前記チラシの原稿から前記チラシの画像データを読み取る。また、制御部２５は、画像読取部２２の前記原稿台に前記チラシの原稿が載置されている場合には、画像読取部２２を用いて、前記原稿台に載置された前記チラシの原稿から前記チラシの画像データを読み取る。
【００７１】
また、制御部２５は、携帯端末１０などの外部の情報処理装置から送信される前記チラシの画像データを受信することで、前記チラシの画像データを取得してもよい。また、制御部２５は、画像読取部２２によって読み取られて、又は外部の情報処理装置から送信されて記憶部２８に格納された前記チラシの画像データを読み出すことで、前記チラシの画像データを取得してもよい。
【００７２】
＜ステップＳ１２＞
ステップＳ１２において、制御部２５は、ステップＳ１１で取得された前記チラシの画像データに基づいて、前記店舗情報を抽出する。ここで、ステップＳ１２の処理は、制御部２５の店舗抽出部２５２により実行される。なお、ステップＳ１２の処理は省略されてもよい。
【００７３】
例えば、制御部２５は、ステップＳ１１で取得された前記チラシの画像データに基づいて前記ＯＣＲ処理を実行する。そして、制御部２５は、前記ＯＣＲ処理の実行結果に基づいて、前記店舗情報を抽出する。また、制御部２５は、ステップＳ１１で複数枚の前記チラシ各々の画像データが取得された場合は、前記チラシ各々の前記店舗情報を抽出する。
【００７４】
＜ステップＳ１３＞
ステップＳ１３において、制御部２５は、ステップＳ１１で取得された前記チラシの画像データに基づいて、前記食材情報を抽出する。ここに、ステップＳ１３の処理が、本発明における第１ステップの一例であって、制御部２５の食材抽出部２５３により実行される。
【００７５】
例えば、制御部２５は、ステップＳ１２で実行された前記ＯＣＲ処理の実行結果に基づいて、前記チラシに掲載された複数の前記特定食材各々に関する前記食材情報を抽出する。また、制御部２５は、ステップＳ１１で複数枚の前記チラシ各々の画像データが取得された場合は、同一の前記チラシから抽出される前記店舗情報及び前記食材情報を互いに関連付ける。
【００７６】
＜ステップＳ１４＞
ステップＳ１４において、制御部２５は、操作表示部２６に前記設定操作画面を表示させる。
【００７７】
ここで、ステップＳ１４で操作表示部２６に表示される前記設定操作画面の一例を図５に示す。図５に示される設定操作画面Ｇ１０には、メッセージ表示欄Ｇ１１、第２絞込条件設定欄Ｇ１２〜Ｇ１５、第１絞込条件設定欄Ｇ１６〜Ｇ１８、出力方法設定欄Ｇ１９、操作キーＧ２０〜Ｇ２１が含まれる。
【００７８】
メッセージ表示欄Ｇ１１には、ユーザーへのメッセージが表示される。第２絞込条件設定欄Ｇ１２〜Ｇ１５では、前記第２絞込条件を設定することが可能である。例えば、ユーザーは、設定操作画面Ｇ１０の第２絞込条件設定欄Ｇ１２にタッチ操作を行うことで、前記特定料理の種類を指定することが可能である。また、ユーザーは、設定操作画面Ｇ１０の第２絞込条件設定欄Ｇ１３にタッチ操作を行うことで、前記特定料理の予算を指定することが可能である。また、ユーザーは、設定操作画面Ｇ１０の第２絞込条件設定欄Ｇ１４にタッチ操作を行うことで、前記特定料理の摂取カロリーを指定することが可能である。また、ユーザーは、設定操作画面Ｇ１０の第２絞込条件設定欄Ｇ１５にタッチ操作を行うことで、前記特定料理に含まれる前記特定食材の数を指定することが可能である。
【００７９】
第１絞込条件設定欄Ｇ１６〜Ｇ１８では、前記第１絞込条件を設定することが可能である。例えば、ユーザーは、設定操作画面Ｇ１０の第１絞込条件設定欄Ｇ１６にタッチ操作を行うことで、前記特定食材の産地を指定することが可能である。また、ユーザーは、設定操作画面Ｇ１０の第１絞込条件設定欄Ｇ１７にタッチ操作を行うことで、除外される前記特定食材を指定することが可能である。また、ユーザーは、設定操作画面Ｇ１０の第１絞込条件設定欄Ｇ１８にタッチ操作を行うことで、前記特定店舗までの距離を指定することが可能である。
【００８０】
出力方法設定欄Ｇ１９では、前記レシピ情報の出力方法を設定することが可能である。例えば、ユーザーは、設定操作画面Ｇ１０の出力方法設定欄Ｇ１９にタッチ操作を行うことで、前記レシピ情報の出力方法を印刷、又は携帯端末１０への送信に設定することが可能である。操作キーＧ２０〜Ｇ２１は、設定操作画面Ｇ１０における設定内容の確定及び取り消しの操作に用いられる。
【００８１】
＜ステップＳ１５＞
ステップＳ１５において、制御部２５は、ステップＳ１４で表示された前記設定操作画面におけるユーザーの設定操作が終了したか否かを判断する。例えば、制御部２５は、ユーザーによって設定操作画面Ｇ１０の操作キーＧ２０が操作された場合に、前記設定操作画面におけるユーザーの設定操作が終了したと判断する。
【００８２】
ここで、制御部２５は、前記設定操作画面におけるユーザーの設定操作が終了したと判断すると（Ｓ１５のＹｅｓ側）、処理をステップＳ１６に移行させる。また、前記設定操作画面におけるユーザーの設定操作が終了していなければ（Ｓ１５のＮｏ側）、制御部２５は、ステップＳ１５で前記設定操作画面におけるユーザーの設定操作の終了を待ち受ける。
【００８３】
＜ステップＳ１６＞
ステップＳ１６において、制御部２５は、前記設定操作画面におけるユーザー操作に応じて、前記第１絞込条件を設定する。ここで、ステップＳ１４〜ステップＳ１６の処理は、制御部２５の第１設定処理部２５４により実行される。
【００８４】
例えば、制御部２５は、設定操作画面Ｇ１０の操作キーＧ２０の操作時における第１絞込条件設定欄Ｇ１６〜Ｇ１８の入力内容に応じて、前記第１絞込条件を設定する。これにより、ユーザーが所望する条件を満たす前記特定食材を用いた前記特定料理のレシピに関する前記レシピ情報を出力することが可能となる。
【００８５】
＜ステップＳ１７＞
ステップＳ１７において、制御部２５は、前記設定操作画面におけるユーザー操作に応じて、前記第２絞込条件を設定する。ここで、ステップＳ１７の処理は、制御部２５の第２設定処理部２５８により実行される。
【００８６】
例えば、制御部２５は、設定操作画面Ｇ１０の操作キーＧ２０の操作時における第２絞込条件設定欄Ｇ１２〜Ｇ１５の入力内容に応じて、前記第２絞込条件を設定する。これにより、ユーザーが所望する条件を満たす前記特定料理のレシピに関する前記レシピ情報を出力することが可能となる。
【００８７】
なお、前記第１絞込条件及び前記第２絞込条件は、画像処理装置２０にログイン可能なユーザーごとに予め画像処理装置２０に登録されていてもよい。この場合、ステップＳ１４〜ステップＳ１７の処理は省略されてもよい。
【００８８】
＜ステップＳ１８＞
ステップＳ１８において、制御部２５は、前記疲労情報を取得する。ここで、ステップＳ１８の処理は、制御部２５の疲労情報取得部２５５により実行される。
【００８９】
例えば、制御部２５は、ユーザーが画像処理装置２０にログインしている場合には、ログイン中のユーザーに対応する携帯端末１０から、前記健康情報及び前記スケジュール情報を取得する。また、制御部２５は、ユーザーが画像処理装置２０にログインしていない場合には、操作表示部２６に前記認証画面を表示させる。そして、制御部２５は、前記認証画面における前記認証操作によりユーザーが画像処理装置２０にログインした場合に、ログインしたユーザーに対応する携帯端末１０から前記健康情報及び前記スケジュール情報を取得する。
【００９０】
＜ステップＳ１９＞
ステップＳ１９において、制御部２５は、ステップＳ１８で取得された前記疲労情報に基づいて、ユーザーが疲労しているか否かを判定する。ここで、ステップＳ１９の処理は、制御部２５の判定処理部２５６により実行される。
【００９１】
例えば、制御部２５は、前記疲労情報に含まれる歩数が前記基準歩数を超える場合に、ユーザーが疲労していると判定する。また、制御部２５は、前記疲労情報に含まれる前記起床時刻に検出された脈拍が前記基準脈拍数以上である場合に、ユーザーが疲労していると判定する。また、制御部２５は、前記疲労情報に含まれる前記睡眠時間が前記第１基準時間未満である場合に、ユーザーが疲労していると判定する。また、制御部２５は、前記疲労情報に含まれる視線移動量が前記基準移動量を超える場合に、ユーザーが疲労していると判定する。また、制御部２５は、前記疲労情報に含まれる前記スケジュール情報によって示されるユーザーの自由時間が前記第２基準時間未満である場合に、ユーザーが疲労していると判定する。
【００９２】
＜ステップＳ２０＞
ステップＳ２０において、制御部２５は、ステップＳ１９でユーザーが疲労していると判定されたか否かを判断する。
【００９３】
ここで、制御部２５は、ステップＳ１９でユーザーが疲労していると判定されたと判断すると（Ｓ２０のＹｅｓ側）、処理をステップＳ２１に移行させる。また、ステップＳ１９でユーザーが疲労していると判定されていなければ（Ｓ２０のＮｏ側）、制御部２５は、処理をステップＳ２０１に移行させる。
【００９４】
＜ステップＳ２０１＞
ステップＳ２０１において、制御部２５は、ステップＳ１３で抽出された前記食材情報に基づいて、前記レシピ情報を取得する。ここに、ステップＳ２０１の処理が、本発明における第２ステップの一例であって、制御部２５のレシピ取得部２５７により実行される。
【００９５】
具体的に、制御部２５は、ステップＳ１３で抽出された前記食材情報のうち、ステップＳ１６で設定された前記第１絞込条件を充足する前記特定食材に関する前記食材情報に基づいて、前記レシピ情報を取得する。例えば、制御部２５は、前記第１絞込条件を充足する前記特定食材に関する前記食材情報に基づいて、記憶部２８に記憶されている前記データベースから、前記第１絞込条件を充足する前記特定食材を用いた前記特定料理のレシピを取得する。
【００９６】
また、制御部２５は、取得された前記特定料理のレシピ、及び前記特定料理のレシピに含まれる前記特定食材の前記食材情報に基づいて、前記特定料理のコストを算出する。また、制御部２５は、取得された前記特定料理のレシピに基づいて、前記特定料理の摂取カロリーを算出する。例えば、制御部２５は、記憶部２８に記憶されている前記テーブルデータを参照して、前記特定料理のレシピに含まれる前記特定食材各々の摂取カロリーを取得して合算することで、前記特定料理の摂取カロリーを算出する。
【００９７】
＜ステップＳ２１＞
ステップＳ２１において、制御部２５は、操作表示部２６に前記選択操作画面を表示させる。
【００９８】
ここで、ステップＳ２１で操作表示部２６に表示される前記選択操作画面の一例を図６に示す。図６に示される選択操作画面Ｇ３０には、メッセージ表示欄Ｇ３１、及び操作キーＧ３２〜Ｇ３３が含まれる。
【００９９】
メッセージ表示欄Ｇ３１には、ユーザーへのメッセージが表示される。操作キーＧ３２〜Ｇ３３は、前記レシピ情報の取得方法を変更するか否かの選択の操作に用いられる。
【０１００】
＜ステップＳ２２＞
ステップＳ２２において、制御部２５は、前記レシピ情報の取得方法の変更を選択する操作が行われたか否かを判断する。例えば、制御部２５は、ユーザーによって選択操作画面Ｇ３０の操作キーＧ３２が操作された場合に、前記レシピ情報の取得方法の変更を選択する操作が行われたと判断する。一方、制御部２５は、ユーザーによって選択操作画面Ｇ３０の操作キーＧ３３が操作された場合には、前記レシピ情報の取得方法の変更を選択する操作が行われなかったと判断する。
【０１０１】
ここで、制御部２５は、前記レシピ情報の取得方法の変更を選択する操作が行われたと判断すると（Ｓ２２のＹｅｓ側）、処理をステップＳ２３に移行させる。また、前記レシピ情報の取得方法の変更を選択する操作が行われなければ（Ｓ２２のＮｏ側）、制御部２５は、処理をステップＳ２０１に移行させる。
【０１０２】
＜ステップＳ２３＞
ステップＳ２３において、制御部２５は、ステップＳ１３で抽出された前記食材情報のうち、前記特定店舗までの距離が最も近い前記チラシの画像データから抽出される前記食材情報に基づいて、前記レシピ情報を取得する。ここで、ステップＳ２３の処理は、レシピ取得部２５７により実行される。
【０１０３】
例えば、制御部２５は、ステップＳ１２で抽出された前記店舗情報、及び記憶部２８に記憶されている画像処理装置２０の位置情報に基づいて、前記特定店舗までの距離が最も近い前記チラシの画像データを特定する。そして、制御部２５は、特定された前記チラシの画像データからステップＳ１３で抽出された前記食材情報に基づいて、前記特定料理のレシピ、前記特定料理のコスト、及び前記特定料理の摂取カロリーを取得する。これにより、ユーザーが疲労している場合に、ユーザーにおいて前記特定食材の調達にかかる負担の小さい前記レシピ情報を出力することが可能である。
【０１０４】
なお、ステップＳ１８〜ステップＳ２３の処理は省略されてもよい。この場合、制御部２５は、ステップＳ１７の処理の後にステップＳ２０１の処理を実行する。
【０１０５】
＜ステップＳ２４＞
ステップＳ２４において、制御部２５は、ステップＳ２０１又はステップＳ２３で取得された前記レシピ情報を出力する。ここに、ステップＳ２４の処理が、本発明における第３ステップの一例であって、制御部２５の出力処理部２５９により実行される。
【０１０６】
具体的に、制御部２５は、ステップＳ１７で設定された前記第２絞込条件を充足する前記特定料理のレシピに関する前記レシピ情報を出力する。例えば、制御部２５は、前記第２絞込条件を充足する前記特定料理のレシピに関する複数の前記レシピ情報のうち、前記特定料理のレシピに含まれる前記特定食材の数が最も多い前記レシピ情報を出力する。
【０１０７】
例えば、制御部２５は、設定操作画面Ｇ１０の操作キーＧ２０の操作時における出力方法設定欄Ｇ１９の入力内容に応じて、前記レシピ情報を印刷、又は携帯端末１０に送信して出力する。
【０１０８】
このように、前記レシピ出力処理では、前記チラシの画像データに基づいて、前記チラシに掲載された前記特定食材に関する前記食材情報が抽出される。そして、抽出された前記食材情報に基づいて、前記特定食材を用いた前記特定料理のレシピに関する前記レシピ情報が取得されて出力される。これにより、料理のレシピを探すユーザーの手間を軽減することが可能である。
【０１０９】
なお、出力処理部２５９は、判定処理部２５６によってユーザーが疲労していると判定された場合に、予め設定された第３絞込条件を充足する前記レシピ情報を出力してもよい。例えば、前記第３絞込条件が、前記特定料理に予め定められた食材が含まれること、である場合には、ユーザーの疲労の回復に寄与する前記特定食材を用いた前記特定料理のレシピに関する前記レシピ情報を出力することが可能である。また、前記第３絞込条件が、前記特定料理のレシピに含まれる調理手順の数が予め定められた数以下であること、である場合には、ユーザーにおいて調理にかかる負担の小さい前記レシピ情報を出力することが可能である。
【０１１０】
また、レシピ取得部２５７は、判定処理部２５６によってユーザーが疲労していると判定された場合には、前記第１絞込条件における前記特定店舗までの距離の指定を予め設定された距離に変更してもよい。この場合にも、ユーザーにおいて前記特定食材の調達にかかる負担の小さい前記レシピ情報を出力することが可能である。
【０１１１】
また、携帯端末１０の制御部１１が、画像取得部２５１、店舗抽出部２５２、食材抽出部２５３、第１設定処理部２５４、疲労情報取得部２５５、判定処理部２５６、レシピ取得部２５７、第２設定処理部２５８、及び出力処理部２５９を備えていてもよい。この場合、携帯端末１０が本発明における画像処理装置の他の一例である。
【符号の説明】
【０１１２】
１０：携帯端末
１１：制御部
１１１：取得処理部
１２：操作表示部
１３：通信部
１４：記憶部
２０：画像処理装置
２１：ＡＤＦ
２２：画像読取部
２３：画像形成部
２４：給紙部
２５：制御部
２５０：認証処理部
２５１：画像取得部
２５２：店舗抽出部
２５３：食材抽出部
２５４：第１設定処理部
２５５：疲労情報取得部
２５６：判定処理部
２５７：レシピ取得部
２５８：第２設定処理部
２５９：出力処理部
２６：操作表示部
２７：通信部
２８：記憶部
１００：画像処理システム
【図１】
0006572815.tif 000002
【図２】
0006572815.tif 000003
【図３】
0006572815.tif 000004
【図４】
0006572815.tif 000005
【図５】
0006572815.tif 000006
【図６】
0006572815.tif 000007